(57)【要約】【課題】筐体を密閉構造とすることなく、筐体の内部に液体が侵入してしまうことを防止することができる電子機器を提供する。【解決手段】本発明の電子機器は、取付部２２を有する筐体２１と、取付部２２に取り付けられるキーボード２３と、キーボード２３に設けられるとともに、筐体２１の内部に収容されるプリント回路板２７と、プリント回路板２７と電気的に接続するための配線３４と、取付部２２に設けられるとともに、キーボード２３が載置される取付面２５と、取付面２５に形成されるとともに、配線３４が通される貫通孔３５と、取付面２５よりも下側に位置するように取付部２２に形成されるとともに、取付部２２に浸入した液体が溜められる液溜まり部２６と、を具備する。【選択図】図２
2008310657.tif 000002
【特許請求の範囲】
【請求項１】
取付部を有する筐体と、
前記取付部に取り付けられるキーボードと、
前記筐体の内部に収容されるプリント回路板と、
前記キーボードに設けられるとともに、前記プリント回路板と電気的に接続するための配線と、
前記取付部に設けられるとともに、前記キーボードが載置される取付面と、
前記取付面に形成されるとともに、前記配線が通される貫通孔と、
前記取付面よりも下側に位置するように前記取付部に形成されるとともに、前記取付部に浸入した液体が溜められる液溜まり部と、
を具備することを特徴とする電子機器。
【請求項２】
前記液溜まり部は、複数の溝部で構成され、これら複数の溝部は、前記貫通孔から遠ざかるにつれて深さが深くなることを特徴とする請求項１に記載の電子機器。
【請求項３】
前記複数の溝部は、格子状に配置されることを特徴とする請求項２に記載の電子機器。
【請求項４】
前記取付部は、上方に行くにつれて外側に広がるように斜めになった外周部を有し、
前記キーボードは、複数のキーが搭載される板金を含み、
前記板金は、縁部を有し、この縁部は、上方に行くにつれて外側に広がるように斜めになるとともに、前記外周部を覆うことが可能であることを特徴とする請求項３に記載の電子機器。
【請求項５】
前記取付部の外周部と、前記板金の縁部との間には、隙間が形成されており、
前記縁部は、先端部を含むとともに、前記先端部は、前記隙間の上側に被さることを特徴とする請求項４に記載の電子機器。
【請求項６】
前記貫通孔は、前記取付面の中央部に形成されることを特徴とする請求項５に記載の電子機器。
【発明の詳細な説明】
【技術分野】
【０００１】
本発明は、キーボード周りに防水構造を施した電子機器に関する。
【背景技術】
【０００２】
従来、防水構造を持たせたキーボードとして、以下のものが開示されている。このキーボードは、底板と、底板に対して重ねられる中板と、中板の周辺部から上方に立ち上がった凸縁と、中板の前方に設けられた案内溝および導水孔と、底板に設けられた孔と、を備えている。案内溝は、凸縁の内側に沿って水平方向に延びるように形成されている。導水孔は、中板を貫通する方向に形成されている。中板の上部に複数のキーが配置されている。中板は、下方に延びる管柱を有しており、管柱の内部にも前記導水孔が連続している。管柱は、底板の孔に接続されている。
【０００３】
このキーボードに対して、誤って液体がこぼされた場合には、液体は、一時的に中板上に保持される。そして、中板上の液体は、案内溝に導かれ、導水孔内に流される。導水孔の内部に流された液体は、孔を経由してキーボードの外部に排出される（例えば、特許文献１参照）。
【０００４】
この防水構造をノート型のパーソナルコンピュータに適用することが考えられる。一般に、ノート型のパーソナルコンピュータは、箱状をなした筐体と、筐体の内部に収容されるプリント回路板と、筐体の上部に設けられた窪み部と、窪み部に載置されるキーボードと、窪み部の中心に形成された貫通孔と、を備える。キーボードは、貫通孔の内部に通される配線を有し、この配線を介してプリント回路板と電気的に接続されている。
【特許文献１】実用新案登録第３０２３４９６号
【発明の開示】
【発明が解決しようとする課題】
【０００５】
上記のキーボードの防水構造をノート型のパーソナルコンピュータに適用すると、筐体の窪み部内に液体が浸入する恐れがある。このため、貫通孔にプレート部材を設け、このプレート部材によって、配線が通される部分を除き、貫通孔の内側を密閉する必要がある。しかしながら、このように筐体内部を密閉する構造にすると、筐体内部と外部との間で空気の移動が阻害され、プリント回路板上の部品から生じた熱が筐体の内部にこもる事態を生ずることとなる。
【０００６】
本発明の目的は、筐体を密閉構造とすることなく、筐体の内部に液体が侵入してしまうことを防止することができる電子機器を提供することにある。
【課題を解決するための手段】
【０００７】
前記目的を達成するため、本発明の一つの形態に係る電子機器は、取付部を有する筐体と、前記取付部に取り付けられるキーボードと、前記筐体の内部に収容されるプリント回路板と、前記キーボードに設けられるとともに、前記プリント回路板と電気的に接続するための配線と、前記取付部に設けられるとともに、前記キーボードが載置される取付面と、前記取付面に形成されるとともに、前記配線が通される貫通孔と、前記取付面よりも下側に位置するように前記取付部に形成されるとともに、前記取付部に浸入した液体が溜められる液溜まり部と、を具備する。
【発明の効果】
【０００８】
本発明によれば、筐体を密閉構造とすることなく、筐体の内部に液体が侵入してしまうことを防止することができる電子機器を提供することができる。
【発明を実施するための最良の形態】
【０００９】
以下に、図１から図５を参照して、本発明の電子機器の実施形態について説明する。図１に示すように、電子機器の一例であるポータブルコンピュータ１１は、本体ユニット１２と、表示ユニット１３と、本体ユニット１２と表示ユニット１３との間に設けられるヒンジ部１４と、を備えている。ヒンジ部１４は、表示ユニット１３を支持しており、表示ユニット１３を本体ユニット１２に対して回動させることができる。表示ユニット１３は、ディスプレイ１５を有している。
【００１０】
図１と図２に示すように、本体ユニット１２は、樹脂製の筐体２１と、筐体２１に設けられた取付部２２と、取付部２２に取り付けられるキーボード２３と、キーボード２３の手前に配置されるタッチパッド２４と、取付部２２に設けられる取付面２５と、取付面２５の中央部に形成された貫通孔３５と、取付面２５よりも下側に位置するように取付部２２に形成される液溜まり部２６と、を備えている。取付面２５には、キーボード２３が載置されている。また、図４に示すように、本体ユニット１２は、筐体２１の内部に、プリント回路板２７を備えている。プリント回路板２７は、プリント配線板２７Ａと、プリント配線板２７Ａに実装される回路部品２７Ｂと、を有している。本体ユニット１２は、さらに、回路部品２７Ｂを冷却するためのファンユニットを備えているが、ファンユニットの図示を省略している。
【００１１】
図２と図４に示すように、キーボード２３は、板金３１と、板金３１の上部に搭載される複数のキー３２と、各キー３２を支持する支持機構３３と、プリント回路板２７と電気的に接続するための配線３４と、を有している。キーボード２３は、さらに、板金３１の上部に、図示しないフレキシブルプリント配線板を有している。
【００１２】
板金３１は、金属材料により形成されている。図４に示すように、板金３１は、平板状に形成された平板部３１Ａと、平板部３１Ａの周囲に設けられた縁部３１Ｂと、を有している。縁部３１Ｂは、枠形状をなすように、平板部３１Ａに対して折り曲げられて形成されている。縁部３１Ｂは、上方に行くにつれて外側に広がるように斜めになっている。
【００１３】
図２と図３に示すように、取付部２２は、筐体２１の周囲の部分よりも窪んで形成されている。取付部２２は、貫通孔３５の内側にはめ込まれたプレート部材３６と、取付面２５の周囲に形成された外周部３７と、を有している。
【００１４】
外周部３７は、板金３１の縁部３１Ｂが嵌る形状を有しており、上方に行くにつれて外側に広がるように斜めになっている。図４に示すように、取付部２２にキーボード２３を装着した状態において、板金３１の縁部３１Ｂは、外周部３７を覆うことができる。
【００１５】
図２と図３に示すように、貫通孔３５は、方形に形成されている。貫通孔３５の内側に、配線３４が通されている。プレート部材３６は、金属材料により枠形状に形成されている。プレート部材３６は、保持溝３６Ａを有しており、保持溝３６Ａは、貫通孔３５に通される配線３４を固定的に保持することができる。プレート部材３６は、中央部に通気孔３６Ｂを有している。
【００１６】
図２から図４に示すように、取付部２２は、複数の突起３８を有している。複数の突起３８は、液溜まり部２６の底面から突出するように形成されている。前記取付面２５は、複数の突起３８の頂部で形成されている。液溜まり部２６は、格子状に配置した複数の溝部４１で構成されている。これら複数の溝部４１は、互いに連通しており、溝部４１の一箇所に液体が集中して溢れることがないようになっている。図３と図４に示すように、複数の溝部４１は、外周部３７に隣接する四周に溝底４２を有している。複数の溝部４１は、溝底４２において、最も深さが深くなっている。すなわち、複数の溝部４１は、貫通孔３５から遠ざかるにつれて深さが深くなっている。
【００１７】
図５に示すように、取付部２２にキーボード２３が取り付けられた状態において、キーボード２３と取付部２２との間には、若干の隙間４３が形成されている。ポータブルコンピュータ１１は、この隙間４３から筐体２１の内部で暖められた空気を外部に放出することができる。縁部３１Ｂは、先端部４４を含んでいる。この先端部４４は、隙間４３の上側に突出しており、隙間４３の上側に覆い被さっている。このため、この隙間４３の上方からこぼされた液体が取付部２２内に浸入することが極力ないようになっている。なお、縁部３１Ｂの先端部４４は、取付部２２の四周において、隙間４３を覆うようになっている。
【００１８】
続いて、このポータブルコンピュータ１１に液体をこぼしてしまった場合の作用について説明する。このポータブルコンピュータ１１に対してユーザが誤って液体をこぼしてしまった場合には、大部分の液体は、キーボード２３の板金３１上に保持される。また、キーボード２３上に保持された液体が溢れて、隙間４３から取付部２２内に液体が浸入した場合には、この液体は、取付面２５上から液溜まり部２６に流される。液体は、液溜まり部２６の溝底４２の近傍に溜められて保持される。このため、液体が貫通孔３５の周囲に流れて、筐体２１の内部に液が侵入することが防止される。
【００１９】
以上が、ポータブルコンピュータ１１の実施形態である。本実施形態によれば、ポータブルコンピュータ１１は、取付部２２を有する筐体２１と、取付部２２に取り付けられるキーボード２３と、キーボード２３に設けられるとともに、プリント回路板２７と電気的に接続するための配線３４と、筐体２１の内部に収容されるプリント回路板２７と、取付部２２に設けられるとともに、キーボード２３が載置される取付面２５と、取付面２５に形成されるとともに、配線３４が通される貫通孔３５と、取付面２５よりも下側に位置するように取付部２２に形成されるとともに、取付部２２に浸入した液体が溜められる液溜まり部２６と、を具備する。
【００２０】
この構成によれば、貫通孔３５が密封されることがないため、筐体２１内部と外部との間に空気の移動が阻害されることがなく、プリント回路板２７上の回路部品から生じた熱が筐体２１の内部にこもってしまう事態を防止することができる。これにより、回路部品２７Ｂの冷却性能を向上するためにファンユニットの容量を大きくする必要もなくなり、ファンユニットによる騒音が増大することを防止できる。また、取付部２２に液体が浸入してしまった場合であっても、当該液体は、液溜まり部２６に保持される。このため、当該液体が貫通孔３５を経由して筐体２１の内部に侵入してしまう事態を防止することができる。
【００２１】
この場合、液溜まり部２６は、複数の溝部４１で構成され、これら複数の溝部４１は、貫通孔３５から遠ざかるにつれて深さが深くなっている。この構成によれば、液溜まり部２６に溜まった液体を貫通孔３５から極力離れた位置に保持できる。これにより、液体が貫通孔３５から筐体２１の内部に侵入してしまう事態を極力防止できる。
【００２２】
この場合、複数の溝部４１は、格子状に配置される。この構成によれば、複数の溝部４１内に保持できる液体の量を大きくすることができる。また複数の溝部４１が、互いに連通するようになるため、一つの溝部４１に液体が集中することを防止して、溝部４１から液体が溢れてしまう事態を防止できる。
【００２３】
この場合、取付部２２は、上方に行くにつれて外側に広がるように斜めに立ち上がった外周部３７を有するとともに、キーボード２３は、複数のキー３２が搭載される板金３１を含み、板金３１は、縁部３１Ｂを有し、この縁部３１Ｂは、上方に行くにつれて外側に広がるように斜めに立ち上がるとともに、外周部３７を覆うことが可能である。
【００２４】
この構成によれば、外周部３７および縁部３１Ｂが斜めに形成されるため、外周部３７と板金３１の縁部３１Ｂとの間の隙間から液体が侵入することを極力少なくすることができる。これにより、液溜まり部２６を有することに加えて、外周部３７および縁部３１Ｂが斜めになるため、ポータブルコンピュータ１１に二重の防水構造を設けることができる。
【００２５】
この場合、取付部２２の外周部３７と、板金３１の縁部３１Ｂとの間には、隙間４３が形成されており、縁部３１Ｂは、先端部４４を含むとともに、先端部４４は、隙間４３の上側に被さる。この構成によれば、当該隙間４３の上方から液体がこぼされた際に、取付部２２に液体が侵入してしまう事態を極力防止することができる。
【００２６】
この場合、貫通孔３５は、取付面２５の中央部に形成される。上記の構成を有するポータブルコンピュータ１１の取付部２２に液体が浸入することがあったとしても、液体は、取付部２２の外周部３７から取付部２２内に浸入する。上記構成によれば、貫通孔３５を外周部３７から最も遠い位置に配置することができるため、取付部２２に液体が浸入することがあったとしても、当該液体が貫通孔３５を経由して筐体２１の内部に侵入する事態を極力防止できる。
【００２７】
本発明の電子機器は、ポータブルコンピュータ１１用に限らず、例えば携帯情報端末のようなその他の電子機器に対しても実施可能である。その他、電子機器は、発明の要旨を逸脱しない範囲で種々変形して実施することができる。
【図面の簡単な説明】
【００２８】
【図１】実施形態に係るポータブルコンピュータを示す斜視図。
【図２】図１に示すポータブルコンピュータのキーボードを分離して示す分解斜視図。
【図３】図２に示すポータブルコンピュータの本体ユニットの取付部を示す上面図。
【図４】図３に示す本体ユニットのＦ４−Ｆ４線に沿った断面図。
【図５】図４に示す取付部を拡大して示す断面図。
【符号の説明】
【００２９】
１１…ポータブルコンピュータ、２１…筐体、２２…取付部、２３…キーボード、２５…取付面、２６…液溜まり部、２７…プリント回路板、３１…板金、３１Ｂ…縁部、３４…配線、３５…貫通孔、３７…外周部、４１…溝部、４３…隙間、４４…先端部
【図１】
2008310657.tif 000003
【図２】
2008310657.tif 000004
【図３】
2008310657.tif 000005
【図４】
2008310657.tif 000006
【図５】
2008310657.tif 000007